(57)【特許請求の範囲】
【請求項１】
枠体内に障子が納められ、該障子は枠体の縦枠と平行な軸を中心に回動し枠体に対して突き出しアームを介して開閉自在とされた開口部装置において、
上記障子の戸先框に対向する縦枠には上下方向にスライド自在な作動板と、上記突き出しアームの動作をガイドするベース板とが内面側に設けられ、
上記突き出しアームは上記ベース板に対し一端部が揺動自在に固定された連結アームと、上記障子の戸先框に固定され上記連結アームの他端部が揺動自在に取付けられる障子固定板とからなり、
上記障子の戸先框には被ロック部が設けられると共に、上記連結アームにはロック部が設けられ、
上記作動板には該作動板を上記縦枠に対して上方または下方にスライドさせる開閉装置が連結され、該開閉装置の操作に伴って上記作動板がスライドすることにより上記連結アームが上記障子固定板及びベース板に対して揺動し障子を開閉させ、
上記連結アームは上記開閉装置の操作に伴って、上記障子が開放状態から閉鎖状態になった後さらに上下方向に移動し、上記ロック部が被ロック部に嵌合して上記障子が縦枠に固定されることを特徴とする開口部装置。
【請求項２】
上記障子の戸先框には第２被ロック部が設けられると共に、上記作動板には第２ロック部が設けられ、
上記作動板は上記開閉装置の操作に伴って上記障子が開放状態から閉鎖状態になった後さらに上下方向に移動し、上記第２ロック部が第２被ロック部に嵌合して上記障子が縦枠に固定されることを特徴とする請求項１記載の開口部装置。
【請求項３】
上記ベース板に被係止部を設けると共に、上記連結アームに係止部を設け、
上記連結アームは上記開閉装置の操作に伴って、上記障子が開放状態から閉鎖状態になった後さらに上下方向に移動し、上記係止部が被係止部に係止して上記ベース板と連結アームが固定されることを特徴とする請求項１または２記載の開口部装置。
【発明の詳細な説明】
【技術分野】
【０００１】
本発明は、障子が枠体の縦枠と平行な軸を中心に開閉する開口部装置に関し、特に開閉装置の操作によって障子を開閉させる開口部装置に関する。
【背景技術】
【０００２】
従来より、建物の開口部に取付けられる開口部装置として、建物躯体に固定される枠体に障子を開閉自在に納めてなるものであって、障子が枠体の縦枠と平行な軸を中心に室外側に向かって開閉するものが知られている。このような開口部装置は、縦辷り窓や開き窓として知られているもので、主に明かり取りや換気用として用いられる。また、これらの開口部装置においては、枠体に設けられた開閉装置により突き出しアームを操作し、この突き出しアームによって障子を開閉するようにしている。このような開口部装置としては、例えば特許文献１や特許文献２に挙げるようなものがある。
【特許文献１】特開２００５−３００６８号公報
【特許文献２】特開２００３−１８４４０２号公報
【発明の開示】
【発明が解決しようとする課題】
【０００３】
従来の開口部装置では、開閉装置と突き出しアームが直接連結されているので、開閉装置の設置位置は突き出しアームの取付位置近傍に設けられている。一方開閉装置には、障子を閉めた際における障子の密閉性や耐風圧性の向上、及び防犯性を向上させるために、ロック機能を持たせており、そのロック位置は窓の密閉性及び耐風圧性の点から窓の高さ方向中間位置に設けていた。したがって、開閉装置と突き出しアームは窓の高さ方向中間位置にしか設けることができなかった。また、ロック機能は開閉装置自体に設けられているため、障子の建付け調整に対し対応することが困難であった。
【０００４】
本発明は、上記課題を解決すべくなされたものであり、突き出しアームの取付位置に関わらず開閉装置の高さ方向設置位置を設定できると共に、障子の建付け調整にも対応しやすい開口部装置を提供することを目的とする。
【課題を解決するための手段】
【０００５】
上記課題を解決するため、本発明に係る開口部装置は、枠体内に障子が納められ、該障子は枠体の縦枠と平行な軸を中心に回動し枠体に対して突き出しアームを介して開閉自在とされた開口部装置において、
上記障子の戸先框に対向する縦枠には上下方向にスライド自在な作動板と、上記突き出しアームの動作をガイドするベース板とが内面側に設けられ、
上記突き出しアームは上記ベース板に対し一端部が揺動自在に固定された連結アームと、上記障子の戸先框に固定され上記連結アームの他端部が揺動自在に取付けられる障子固定板とからなり、
上記障子の戸先框には被ロック部が設けられると共に、上記連結アームにはロック部が設けられ、
上記作動板には該作動板を上記縦枠に対して上方または下方にスライドさせる開閉装置が連結され、該開閉装置の操作に伴って上記作動板がスライドすることにより上記連結アームが上記障子固定板及びベース板に対して揺動し障子を開閉させ、
上記連結アームは上記開閉装置の操作に伴って、上記障子が開放状態から閉鎖状態になった後さらに上下方向に移動し、上記ロック部が被ロック部に嵌合して上記障子が縦枠に固定されることを特徴として構成されている。
【０００７】
さらに、本発明に係る開口部装置は、上記障子の戸先框には第２被ロック部が設けられると共に、上記作動板には第２ロック部が設けられ、
上記作動板は上記開閉装置の操作に伴って上記障子が開放状態から閉鎖状態になった後さらに上下方向に移動し、上記第２ロック部が第２被ロック部に嵌合して上記障子が縦枠に固定されることを特徴として構成されている。
【０００８】
さらにまた、本発明に係る開口部装置は、上記ベース板に被係止部を設けると共に、上記連結アームに係止部を設け、
上記連結アームは上記開閉装置の操作に伴って、上記障子が開放状態から閉鎖状態になった後さらに上下方向に移動し、上記係止部が被係止部に係止して上記ベース板と連結アームが固定されることを特徴として構成されている。
【発明の効果】
【０００９】
本発明に係る開口部装置によれば、縦枠には上下方向にスライド自在な作動板と、突き出しアームの動作をガイドするベース板とが内面側に設けられ、作動板には該作動板を縦枠に対して上方または下方にスライドさせる開閉装置が連結され、開閉装置の操作に伴って作動板がスライドすることにより連結アームが障子固定板及びベース板に対して揺動し障子を開閉させることにより、開閉装置の取付位置が突き出しアームの取付位置に拘束されることがなく、また窓の高さ方向に対して任意の位置に設けることができる。
【００１０】
また、本発明に係る開口部装置によれば、障子の戸先框には被ロック部が設けられ、連結アームにはロック部が設けられ、連結アームは開閉装置の操作に伴って、障子が開放状態から閉鎖状態になった後さらに上下方向に移動し、ロック部が被ロック部に嵌合して障子が縦枠に固定されることにより、障子を閉鎖位置において自動的に固定することができるので、特に建物の壁の高所に設置するのに適した開口部装置とすることができる。また、被ロック部が障子の框に設けられるため、障子の建付調整に対応しやすい開口部装置とすることができる。
【００１１】
さらに、本発明に係る開口部装置によれば、障子の戸先框には第２被ロック部が設けられ、作動板には第２ロック部が設けられ、作動板は開閉装置の操作に伴って障子が開放状態から閉鎖状態になった後さらに上下方向に移動し、第２ロック部が第２被ロック部に嵌合して障子が縦枠に固定されることにより、作動板上にロック機構を設けることができ、窓の高さ方向の任意の位置にロック機構を設けることができるので、障子の密閉性や耐風圧性並びに防犯性の向上を図ることができる。
【００１２】
さらにまた、本発明に係る開口部装置によれば、ベース板に被係止部を設け、連結アームに係止部を設け、連結アームは開閉装置の操作に伴って、障子が開放状態から閉鎖状態になった後さらに上下方向に移動し、係止部が被係止部に係止してベース板と連結アームが固定されることにより、突き出しアーム自体のガタを少なくすることができ、障子をより強固に閉鎖位置に保持することができる。
【発明を実施するための最良の形態】
【００１３】
本発明の実施形態について、図面に沿って詳細に説明する。図１には本実施形態における開口部装置の縦断面図を、図２には開口部装置の横断面図を、それぞれ示している。これら各図に示すように本実施形態における開口部装置は、建物開口部に対し上枠１０と下枠２０及び左右の縦枠３０、３０を方形状に枠組みしてなる枠体１内に、上框４０と下框５０及び左右の縦框６０、６０を方形状に框組みした框体２にガラス体３を納めてなる障子４を納めて構成される。
【００１４】
障子４の上框４０と下框５０は、一方の縦框６０側に偏った位置に軸部５、５を介してそれぞれ上枠１０と下枠２０に回動自在に支持されており、軸部５、５を中心に外方に向かって開閉自在とされている。すなわち、この開口部装置はいわゆる縦辷り窓として構成されている。
【００１５】
枠体１を構成する上枠１０は、断面中空状の押出型材からなる金属上枠１１の室内側に樹脂上枠１２を設けて構成される。また、下枠２０も同様に断面中空状の押出型材からなる金属下枠２１の室内側に樹脂下枠２２を設けて構成される。縦枠３０は、断面略十字状の押出型材からなる金属縦枠３１の室内側に樹脂縦枠３２を設けて構成される。枠体の外周面には、四周に渡ってフィン部６が設けられ、このフィン部６を建物躯体に当接させネジ止めすることによって枠体１は固定される。
【００１６】
框体２を構成する上框４０と下框５０及び縦框６０は、断面中空状の押出型材からなる金属上框４１、金属下框５１、金属縦框６１の室内側にそれぞれ樹脂上框４２、樹脂下框５２、樹脂縦框６２を設けて構成される。樹脂上框４２と樹脂下框５２及び樹脂縦框６２は、いずれも略板状に形成され、各金属框の室内面を覆っている。縦框６０は、一方が室外側に向かって開く戸先框６０ａとなる。
【００１７】
障子４の戸先框６０ａと対向する縦枠３０には、障子４を開閉させるための開閉装置７０が設けられ、その室内側先端部には回転操作部７１を有している。開閉装置７０は、縦枠３０の下端付近に設けられる。また、回転操作部７１はチェーン７１ａによって遠隔操作可能とされており、回転操作されることにより後述する機構を動作させ、障子４を開閉させる。なお、回転操作部７１はチェーン７１ａによらなくても、例えば手で操作できるハンドルを取付けて、それによって操作されるようにしてもよい。
【００１８】
次に、障子４の開閉機構について説明する。図３には、開閉装置７０が設けられる側の縦枠３０及び戸先框６０ａの拡大断面図を示している。縦枠３０の内周面には、開閉装置７０と連係して上下方向にスライド自在な作動板８０と、縦枠３０に対して固定されたベース板８１とが設けられている。また、戸先框６０ａの外周面には、突き出しアーム９０が設けられている。突き出しアーム９０は、作動板８０及びベース板８１と連係する連結アーム９１と、戸先框６０ａに固定され連結アーム９１と連係する障子固定板９２とからなっている。
【００１９】
図４には、開閉装置７０と作動板８０とベース板８１及び突き出しアーム９０の配置関係を示した正面図を示している。この図は、障子４が開いた状態を示している。作動板８０は、上下方向に細長く形成され、縦枠３０の内周面に設けられるガイド板８２に沿って上下方向にスライド自在とされている。作動板８０の下端近傍には、開閉装置７０が連係するように設けられており、開閉装置７０の操作に伴って作動板８０はガイド板８２に沿って上下方向にスライドする。また、作動板８０の上端近傍には、障子４が閉じた際に戸先框６０ａに設けられるロック部６３と嵌合するロック受部８０ａが設けられる。
【００２０】
突き出しアーム９０付近については、拡大図である図５により説明する。なお、この図では戸先框６０ａ及び作動板８０は省略している。突き出しアーム９０は、上述のように作動板８０及びベース板８１と連係する連結アーム９１を有している。連結アーム９１の戸先框６０ａ側端部には第１アームピン９１ａが設けられ、一方で障子固定板９２には第１アームピン９１ａがスライド自在な第１スライド孔９２ａが設けられて、連結アーム９１は障子固定板９２に対して揺動自在かつスライド自在とされている。
【００２１】
また、連結アーム９１の縦枠３０側端部近傍には、第２アームピン９１ｂが設けられ、ベース板８１に設けられる第２スライド孔８１ａを介して作動板８０に回転自在に保持される。さらに、連結アーム９１には第３スライド孔９１ｃが設けられると共に、ベース板８１には第３スライド孔９１ｃに対してスライド自在なベース板ピン８１ｂが設けられる。これによって、連結アーム９１は作動板８０及びベース板８１に対してそれぞれスライド及び揺動自在とされている。
【００２２】
さらに、連結アーム９１には、その中間位置に略Ｕ字状の切欠を有したロック受部９１ｄと、ロック係合部９１ｅとが形成されている。図４に示すように、戸先框６０ａには２個所にピン状のロック部６３、６３が設けられており、戸先框６０ａ上部に設けられたロック部６３は、上述のように作動板８０の上端近傍に設けられたロック受部８０ａと嵌合し、戸先框６０ａ下部に設けられたロック部６３は、連結アーム９１のロック受部９１ｄと嵌合する。また、ロック係合部９１ｅは障子４が閉じた際に、ベース板８１の下端部に形成されるロック被係合部８１ｃに係合する。
【００２３】
次に、障子４を閉じる際における突き出しアーム９０の動作について説明する。図６は、作動板８０の動作に伴う突き出しアーム９０の動作状態を示した図である。なお、この図中では図５と同様に戸先框６０ａ及び作動板８０は省略している。図５の状態が、障子４を最も開いた状態であって、図６（ａ）は開閉装置７０を操作することで作動板８０を縦枠３０の上方に移動させ始めた状態を示している。
【００２４】
図６（ａ）に示すように、作動板８０を上方にスライドさせると、作動板８０に回動自在に固定された連結アーム９１の第２アームピン９１ｂは、ベース板８１の第２スライド孔８１ａをスライドしつつ上方に引き上げられると共に、ベース板８１のベース板ピン８１ｂは、連結アーム９１の第３スライド孔９１ｃをスライドする。また、連結アーム９１の回動に伴って、連結アーム９１の第１アームピン９１ａは、障子固定板９２の第１スライド孔９２ａを下方にスライドする。これによって連結アーム９１はベース板８１及び障子固定板９２となす角度が小さくなるように回動する。したがって、障子固定板９２が取付けられた戸先框６０ａは、縦枠３０側に移動する。
【００２５】
図６（ｂ）には、図６（ａ）の状態から作動板８０を上方に移動させた状態を示している。この図では、連結アーム９１はベース板８１及び障子固定板９２と略同じ角度を向く状態まで回動している。したがって、縦枠３０の内周面と戸先框６０ａの外周面は対向した状態、すなわち障子４が閉じた状態となる。
【００２６】
図６（ｂ）の状態においては、連結アーム９１の第２アームピン９１ｂは、ベース板８１の第２スライド孔８１ａの中間に位置し、またベース板８１のベース板ピン８１ｂも、連結アーム９１の第３スライド孔９１ｃの中間に位置している。したがって、障子４が閉じた後も作動板８０をさらに上方に移動させることで、連結アーム９１を上方に移動させることができるようにされている。
【００２７】
図６（ｃ）には、図６（ｂ）の状態からさらに作動板８０を上方に移動させて障子４をロックした状態を示している。連結アーム９１の第２アームピン９１ｂがベース板８１の第２スライド孔８１ａの上端に位置し、ベース板８１のベース板ピン８１ｂが連結アーム９１の第３スライド孔９１ｃの下端に位置した状態で、戸先框６０ａのロック部６３は連結アーム９１のロック受部９１ｄに嵌合して、縦枠３０側と戸先框６０ａ側をロックする。また、連結アーム９１のロック係合部９１ｅはベース板８１のロック被係合部８１ｃに係合して、これも縦枠３０側と戸先框６０ａ側をロックする。さらに、図４で示した戸先框６０ａの上部に設けたロック部６３は、作動板８０の上端近傍に設けたロック受部８０ａに嵌合し、これも縦枠３０側と戸先框６０ａ側をロックする。
【００２８】
このように、開閉装置７０と連係して上下動する作動板８０により、突き出しアーム９０を回動させるようにしたので、開閉装置７０の位置にかかわらず突き出しアーム９０の位置を設定することができ、また作動板８０にロック機構を設けることができるので、開閉装置７０及び突き出しアーム９０の位置をさらに自由に設定することができる。また、開閉装置７０と突き出しアーム９０によりロック機構を構成する必要がなく、戸先框６０ａにロック機構を設けることができるので、障子の建付調整にも対応しやすい。
【００２９】
開閉装置７０についてさらに詳細に説明する。図７には障子４が開いた状態における開閉装置７０の機構を含む作動板８０と突き出しアーム９０の正面図を示している。この図に示すように、開閉装置７０は図１及び図２に示した回転操作部７１と連結され回転動作する回転部７２と、回転部７２に連係して回動動作する連係腕部７３と、連係腕部７３の回動動作を作動板８０の上下動作に変換する連動板７４とから構成されている。連係腕部７３は回転軸７３ａを中心に回動し、回転軸７３ａは回転操作部７１の中心軸よりも上方に配置されている。
【００３０】
連動板７４は、腕連結部７４ａにより連係腕部７３と回動自在に連結すると共に、作動板連結部７４ｂにより作動板８０と回動自在に連結している。このように連動板７４は、連係腕部７３と作動板８０の両方に回動自在に連結しているので、回転軸７３ａを中心に回動する連係腕部７３の回動動作を作動板８０のスライド動作に変換することができる。
【００３１】
図８には障子４が閉じた状態における開閉装置７０の機構を含む作動板８０と突き出しアーム９０の正面図を示している。この図に示すように、回転操作部７１の操作により連係腕部７３は上方に回動し、連動板７４を介して作動板８０は上方にスライドしている。作動板８０のスライドに伴って、上述のように突き出しアーム９０が動作し、障子４が閉じた状態になると共に、ロック部６３、６３とロック受部８０ａ、９１ｄが嵌合し、障子４が縦枠３０に固定される。
【００３２】
このように作動板８０を上下方向にスライドさせるために、連係腕部７３との間に連動板７４を設けたことにより、開口部装置の様々なパターンについて部品の共用化を図ることができる。これまで開口部装置は右勝手、すなわち室内側から見た場合に開閉装置が障子の右側に配置されたものを示したが、左勝手の開口部装置においても、開閉装置７０の共用化を図ることができる。
【００３３】
図９には左勝手の開口部装置で障子４が閉じた状態における開閉装置７０の機構を含む作動板８０と突き出しアーム９０の正面図を示している。この図に示すように、左勝手の開口部装置において右勝手の開口部装置と部品を共用化するため、連係腕部７３の回転軸７３ａは、回転操作部７１の中心軸よりも下方に配置されている。この場合には、連動板７４を右勝手とは上下反対にして連係腕部７３と作動板８０を連結することで、部品を共用化しつつ作動板８０を上下方向にスライドさせることができる。すなわち、連動板７４の腕連結部７４ａを下方に、作動板連結部７４ｂを上方に配置した場合に、作動板連結部７４ｂの上下方向位置は右勝手の場合と同じ位置となるように連動板７４の寸法が設定されている。
【００３４】
本実施形態では金属材の室内側に樹脂材を配設した複合サッシについて示しているが、ほぼ金属材だけから構成される金属サッシについても本発明を同様に適用することができる。この場合、金属材の室内側に配設される樹脂材の有無によって、回転操作部７１の室内外方向位置が異なるため、連係腕部７３の回転中心となる回転軸７３ａの位置も異なることになるが、連動板７４の作動板連結部７４ｂ位置を固定しつつ、腕連結部７４ａ位置を適切に配置することにより、樹脂材の有無に伴う位置のずれを吸収することができる。
【００３５】
これまで本発明の実施形態について説明したが、本発明の適用は本実施形態に限られるものではなく、その技術的思想の範囲内において様々に適用されうるものである。例えば、本実施形態では作動板８０の上端近傍にロック受部８０ａを設け、戸先框６０ａにそれに対応するピン状のロック部６３を設けているが、窓の高さ方向が大きくない場合には、連結アーム９１のロック受部９１ｄとそれに対応するロック部６３の一組のロック機構を設けるだけでもよい。また、ロック受部を戸先框６０ａ側に、ロック部を連結アーム９１または作動板８０に設けるようにしてもよい。
【００３６】
また、本実施形態では障子４が軸部５、５を中心に外方に向かって開閉自在とされた縦辷り窓について示したが、障子４の一方の縦框６０の上下端部に軸部５、５を設けたいわゆる開き窓であっても、本発明を適用することができる。
【図面の簡単な説明】
【００３７】
【図１】本実施形態における開口部装置の縦断面図である。
【図２】本実施形態における開口部装置の横断面図である。
【図３】開閉装置が設けられる側の縦枠及び縦框の拡大断面図である。
【図４】開閉装置と作動板とベース板及び突き出しアームの配置関係を示した正面図である。
【図５】図４から作動板を省略し突き出しアーム付近を拡大した図である。
【図６】作動板の動作に伴う突き出しアームの動作状態を示した図である。
【図７】障子が開いた状態における開閉装置の機構を含む作動板と突き出しアームの正面図である。
【図８】障子が閉じた状態における開閉装置の機構を含む作動板と突き出しアームの正面図である。
【図９】左勝手の開口部装置で障子が閉じた状態における開閉装置の機構を含む作動板と突き出しアームの正面図である。
【符号の説明】
【００３８】
１    枠体
２    框体
３    ガラス体
４    障子
１０    上枠
２０    下枠
３０    縦枠
４０    上框
５０    下框
６０    縦框
６３    ロック部
７０    開閉装置
７１    回転操作部
７２    回転部
７３    連係腕部
７４    連動板
８０    作動板
８０ａ  ロック受部
８１    ベース板
８１ａ  第２スライド孔
８１ｂ  ベース板ピン
８１ｃ  ロック被係合部
８２    ガイド板
９０    突き出しアーム
９１    連結アーム
９１ａ  第１アームピン
９１ｂ  第２アームピン
９１ｃ  第３スライド孔
９１ｄ  ロック受部
９１ｅ  ロック係合部
９２    障子固定板
９２ａ  第１スライド孔
【図１】
0004686325.tif 000002
【図２】
0004686325.tif 000003
【図３】
0004686325.tif 000004
【図４】
0004686325.tif 000005
【図５】
0004686325.tif 000006
【図６】
0004686325.tif 000007
【図７】
0004686325.tif 000008
【図８】
0004686325.tif 000009
【図９】
0004686325.tif 000010